(57)【要約】【課題】容易に投写レンズユニットと画像生成手段との距離を調整することができる投写光学装置および画像投写装置を提供する。【解決手段】投写光学装置たる投写光学部６０は、第一移動投写レンズ８１ａ、第二移動投写レンズ８１ｂ、第三移動投写レンズ８１ｃ、第四移動投写レンズ８１ｄ、第一固定投写レンズ８１ｅ、第二固定投写レンズ８１ｆを保持する投写レンズユニット６０１をＺ軸方向に移動可能に保持するユニット保持枠７３を有している。このユニット保持枠７３は、フランジ部材７２に嵌合しており、フランジ部材７２がＤＭＤ５０２などの画像生成手段が取り付けられた照明ブラケット４０７などの光学ハウジングに取り付けられている。また、投写レンズユニット６０１を、ユニット保持枠７３に対してＺ軸方向に移動させるユニット移動カム枠７１などの移動手段を備えている。【選択図】図５
2018017772.tif 000002
【特許請求の範囲】
【請求項１】
画像生成手段が生成した投写画像が入射する投写レンズを保持する投写レンズユニットを備え、前記投写レンズを通過した投写画像を投写面に向けて投写する投写光学装置において、
前記投写画像が前記投写レンズに入射する入射方向に前記投写レンズユニットを移動可能に保持し、前記画像生成手段が取り付けられた光学ハウジングに取り付けられる投写レンズユニット保持手段と、
前記投写レンズユニットを、前記投写レンズユニット保持手段に対して前記入射方向に移動させる移動手段とを備えたことを特徴とする投写光学装置。
【請求項２】
請求項１に記載の投写光学装置において、
前記移動手段は、回転駆動力を、前記投写レンズユニットを前記入射方向に移動させる直線駆動力に変換することを特徴とする投写光学装置。
【請求項３】
請求項２に記載の投写光学装置において、
前記投写レンズユニット保持手段の前記投写レンズユニットを保持するユニット保持部は、筒状形状であり、
前記ユニット保持部には、前記入射方向に延びて、前記前記投写レンズユニットに設けられた突起部が貫通する貫通孔を有し、
前記移動手段は、筒状であり内部に前記ユニット保持部を配設し、前記突起部が係合する係合部を有する回動可能な回動部材を備え
前記係合部は、円周方向に延び、かつ、前記入射方向に傾斜していることを特徴とする投写光学装置。
【請求項４】
請求項１乃至３いずれかに記載の投写光学装置において、
前記投写レンズユニットは、複数の投写レンズを保持するものであって、
前記投写レンズユニットは、複数の投写レンズのうち、少なくともひとつを、前記入射方向に移動可能に保持するレンズ保持部材と、前記移動可能に保持された投写レンズを前記レンズ保持部材に対して前記入射方向に移動させるレンズ移動機構とを備えたことを特徴とする投写光学装置。
【請求項５】
請求項１乃至４いずれかに記載の投写光学装置において、
前記投写レンズユニットの前記投写レンズユニット保持手段に対する前記入射方向への移動をロックするロック手段とを備えたことを特徴とする投写光学装置。
【請求項６】
請求項１乃至５いずれかに記載の投写光学装置において、
前記投写レンズユニット保持手段および前記移動手段を金属材料で構成したことを特徴とする投写光学装置。
【請求項７】
光源と、
前記光源からの光を用いて画像を形成する画像生成手段と、
前記画像を投写面に向けて投写する投写光学部とを備えた画像投写装置において、
上記投写光学部として、請求項１乃至６いずれかに記載の投写光学装置を用いたことを特徴とする画像投写装置。
【発明の詳細な説明】
【技術分野】
【０００１】
本発明は、投写光学装置および画像投写装置に関するものである。
【背景技術】
【０００２】
従来から光源から出射される光を用いて画像生成手段たるＤＭＤにより生成された投写画像を、投射光学装置の投写レンズユニットが保持する投射レンズ群に透過させた後、投射面に投射する画像投射装置が知られている。投写レンズユニットは、ＤＭＤが取り付けられた光学ハウジングに取り付けられている。
【０００３】
特許文献１には、かかる画像投写装置であって、光学ハウジングと投写レンズユニットとの間に介在させる板状の調整部材の枚数を調整して、投写レンズユニットを光学ハウジングに取り付けることで、投写レンズユニットとＤＭＤとの距離を適正化するものが記載されている。
【発明の概要】
【発明が解決しようとする課題】
【０００４】
特許文献１においては、投写レンズユニットとＤＭＤとの距離の調整作業は、例えば、次のように行う。すなわち、ピントが合っていないとき、投写レンズユニットを光学ハウジングから取り外し、光学ハウジングと投写レンズユニットとの間に、調整部材を一枚介在させて投写レンズユニットを再度、光学ハウジングに取り付け、ピントが合っているか否かを確認する。まだ、ピントが合っていない場合は、投写レンズユニットを光学ハウジングから取り外し、介在させる調整部材の枚数を増やして、再度、投写レンズユニットを光学ハウジングに取り付けて、ピントが合っているか否かを確認するという作業を繰り返し行う。従って、特許文献１においては、調整作業が煩雑であるという課題があった。
【課題を解決するための手段】
【０００５】
上記課題を解決するために、本発明は、画像生成手段が生成した投写画像が入射する投写レンズを保持する投写レンズユニットを備え、前記投写レンズを通過した投写画像を投写面に向けて投写する投写光学装置において、前記投写画像が前記投写レンズに入射する入射方向に前記投写レンズユニットを移動可能に保持し、前記画像生成手段が取り付けられた光学ハウジングに取り付けられる投写レンズユニット保持手段と、前記投写レンズユニットを、前記投写レンズユニット保持手段に対して前記入射方向に移動させる移動手段とを備えたことを特徴とするものである。
【発明の効果】
【０００６】
本発明によれば、容易に投写レンズユニットと画像生成手段との距離を調整することができる。
【図面の簡単な説明】
【０００７】
【図１】実施形態におけるプロジェクタを例示する斜視図。
【図２】実施形態における光学エンジンを例示する斜視図。
【図３】光源と、照明光学部と、画像表示部と、投写レンズユニットとを例示する斜視図。
【図４】実施形態における投写光学部の内部構成を例示する図。
【図５】投写レンズユニットと、取り付け機構と、照明ブラケットと、ＤＭＤとを例示する概略断面図。
【図６】投写レンズユニットの要部断面斜視図。
【図７】投写レンズユニットと、取り付け機構の構成部品の取りユニット保持枠と、ユニット移動カム枠とを例示する斜視図。
【発明を実施するための形態】
【０００８】
以下、図面を参照して発明を実施するための形態について説明する。各図面において、同一構成部分には同一符号を付し、重複した説明を省略する場合がある。
【０００９】
［画像投写装置の構成］
図１は、実施形態におけるプロジェクタ１を例示する斜視図である。
【００１０】
プロジェクタ１は、画像投写装置の一例であり、出射窓３、外部Ｉ／Ｆ９を有し、投写画像を生成する光学エンジンが内部に設けられている。プロジェクタ１は、例えば外部Ｉ／Ｆ９に接続されるパソコンやデジタルカメラからの入力画像データが送信されると、光学エンジンが送信された画像データに基づいて投写画像を生成し、図１に示されるように出射窓３からスクリーンＳに画像を投写する。また、出射窓３を有するプロジェクタ１の上壁面には、ユーザーが操作するための操作部１２０が設けられている。操作部１２０は、ユーザーの操作によりプロジェクタの電源をＯＮ／ＯＦＦする電源ボタン１２０ａを有している。
【００１１】
また、プロジェクタ１の側壁面には、遠隔操作装置であるリモコンからの光信号が通過可能な開口部である受光窓１２１が形成されている。この受光窓１２１には、リモコンからの光信号を受けるリモコン受信部が設けられている。
［光学エンジンの構成］
次に、プロジェクタ１の光学エンジン１５の各部の構成について説明する。
【００１２】
図２は、実施形態における光学エンジン１５を例示する斜視図である。光学エンジン１５は、図２に示されるように、光源３０、照明光学部４０、画像表示部５０、投写光学部６０を有し、プロジェクタ１の内部に設けられている。
【００１３】
光源３０は、照明光学部４０の側面に設けられ、Ｘ２方向に光を照射する。光源３０は、光源ホルダ３１と光源ブラケット３２とにより保持されている。照明光学部４０は、光源３０から照射された光を、下部に設けられている画像表示部５０に導く。画像表示部５０は、照明光学部４０によって導かれた光を用いて投写画像を生成する。投写光学部６０は、照明光学部４０の上部に設けられ、画像表示部５０によって生成された投写画像をプロジェクタ１の外部に投写する。
【００１４】
なお、本実施形態に係る光学エンジン１５は、光源３０から照射される光を用いて上方に画像を投写するように構成されているが、水平方向に画像を投写するような構成であってもよい。
【００１５】
［照明光学部］
図３は、光源３０と、照明光学部４０と、画像表示部５０と、投写レンズユニット６０１とを例示する斜視図である。
【００１６】
図３に示されるように、照明光学部４０は、カラーホイール４０１、ライトトンネル４０２、リレーレンズ４０３，４０４、シリンダミラー４０５、曲面ミラー４０６を有する。
【００１７】
カラーホイール４０１は、例えば周方向の異なる部分にシアン、白、赤、黄、緑、青の各色のフィルタが設けられている円盤である。カラーホイール４０１は、高速回転することで、光源３０から照射される光を、各色に時分割する。
【００１８】
ライトトンネル４０２は、例えば板ガラス等の貼り合わせによって四角筒状に形成されている。ライトトンネル４０２は、カラーホイール４０１を透過した各色の光を、内面で多重反射することで輝度分布を均一化してリレーレンズ４０３，４０４に導く。
【００１９】
リレーレンズ４０３，４０４は、ライトトンネル４０２から出射された光の軸上色収差を補正しつつ集光する。
【００２０】
シリンダミラー４０５及び曲面ミラー４０６は、リレーレンズ４０３，４０４から出射された光を、画像表示部５０に設けられている画像生成手段たるＤＭＤ（Digital Micro-mirror Device）５０２に反射する。ＤＭＤ５０２は、曲面ミラー４０６からの反射光を変調して投写画像を生成する。
【００２１】
ライトトンネル４０２、リレーレンズ４０３，４０４、シリンダミラー４０５及び曲面ミラー４０６は、光学ハウジングたる照明ブラケット４０７に保持されている。また、この照明ブラケット４０７には、画像表示部５０および、後述する取り付け機構７０を介して投写レンズユニット６０１が取り付けられている。
【００２２】
［投写光学部］
図４は、実施形態における投写光学部６０の内部構成を例示する図である。投写光学部６０は、投写レンズユニット６０１、平面ミラーである折り返しミラー６０２、曲面ミラー６０３、および透過ガラス６０５を備えている。
【００２３】
投写レンズユニット６０１は、複数の投写レンズを有し、画像表示部５０のＤＭＤ５０２によって生成された投写画像を、折り返しミラー６０２に結像させる。折り返しミラー６０２及び曲面ミラー６０３は、結像された投写画像を拡大するように反射して、透過ガラス６０５を透過してプロジェクタ１の外部のスクリーンＳ等に投写する。
【００２４】
図２に示すように、折り返しミラー６０２と透過ガラス６０５は、ミラーブラケット６２に保持されている。曲面ミラー６０３は、自由ミラーブラケット６１に保持されている。折り返しミラー６０２は、後述するように、Ｚ軸方向回りに回動可能にミラーブラケット６２に保持されている。透過ガラス６０５は、Ｘ方向両端が、板バネ状のガラス押さえ部材６３によりミラーブラケット６２に押し付けられることにより、ミラーブラケット６２に位置決め固定されている。
【００２５】
曲面ミラー６０３は、上端部の略中央が、板バネ状の自由ミラー押さえ部材６４により自由ミラーブラケット６１に押し付けられ、下側のＸ方向両端が、ネジにより自由ミラーブラケット６１に固定されている。自由ミラーブラケット６１は、ミラーブラケット６２に取り付けられている。
【００２６】
ＤＭＤ５０２や投写レンズユニット６０１が取り付けられる照明ブラケット４０７の製造誤差などにより、ＤＭＤ５０２と投写レンズユニット６０１とのＺ軸方向の位置関係が規定の位置関係からずれる場合がある。このように、規定の位置関係からずれると、ピントがずれるなど規定の光学特性が得られず、投写画像が劣化してしまう。そのため、製造工程において、投写レンズユニット６０１とＤＭＤ５０２とが規定の位置関係となるように調整する必要がある。
【００２７】
従来において、投写レンズユニット６０１と照明ブラケット４０７との間に調整部材を介在させて投写レンズユニット６０１を取り付けることにより、投写レンズユニット６０１とＤＭＤ５０２との位置関係を調整していた。そのため、従来においては、次のような調整作業となる。すなわち、ピントなど、規定の光学特性が出ていないときは、投写レンズユニット６０１を、照明ブラケット４０７から取り外して、投写レンズユニット６０１と照明ブラケット４０７との間に調整部材を一枚介在させて投写レンズユニット６０１を取り付ける。そして、所定の光学特性が出ているか否かをチェックする。規定の光学特性が出ていなかったときは、再度、投写レンズユニット６０１を照明ブラケット４０７から取り外す。次に、投写レンズユニット６０１と照明ブラケット４０７との間に介在させる調整部材の枚数を変更して、再度、投写レンズユニット６０１を照明ブラケット４０７に取り付ける。そして、再度、光学特性をチェックする。このような作業を繰り返して、投写レンズユニット６０１とＤＭＤ５０２とが規定の位置関係となるように調整する作業となる。よって、従来においては、調整作業が長くなり、製造工程のリードタイムが長くなり、製造コストの増加に繋がるという課題がある。
【００２８】
また、従来に調整方式では、複数枚調整部材が手元にないと、投写レンズユニット６０１とＤＭＤ５０２との位置関係を調整できない。従って、経時使用による照明ブラケット４０７の変形などにより、投写レンズユニット６０１とＤＭＤ５０２との位置関係が変動した場合は、投写レンズユニット６０１とＤＭＤ５０２との位置関係を調整できないという問題もある。
【００２９】
これに対し、本実施形態においては、投写レンズユニット６０１とＤＭＤ５０２との距離が調整可能な取り付け機構７０を介して、投写レンズユニット６０１を照明ブラケット４０７に取り付けるようにした。以下、図面を用いて具体的に説明する。
【００３０】
図５は、投写レンズユニット６０１と、取り付け機構７０と、照明ブラケット４０７と、ＤＭＤ５０２とを例示する概略断面図である。図６は、投写レンズユニット６０１の要部断面斜視図である。
投写レンズユニット６０１は、第一移動投写レンズ８１ａ、第二移動投写レンズ８１ｂ、第三移動投写レンズ８１ｃ、第四移動投写レンズ８１ｄ、第一固定投写レンズ８１ｅおよび第二固定投写レンズ８１ｆを保持している。第一移動投写レンズ８１ａは、筒状の第一稼動枠９１ａに取り付けられており、第二移動投写レンズ８１ｂおよび第三移動投写レンズ８１ｃは、筒状の第二稼動枠９１ｂに取り付けられている。第四移動投写レンズ８１ｄは、筒状の第三稼動枠９１ｃに取り付けられている。第一固定投写レンズ８１ｅおよび第二固定投写レンズ８１ｆは、筒状の固定枠９４に取り付けられている。
【００３１】
第一稼動枠９１ａ，第二稼動枠９１ｂ，第三稼動枠９１ｃには、それぞれ、係合突起９１０ａ，９１０ｂ，９１０ｃが、円周方向に等間隔で複数設けられている。本実施形態では、係合突起は、円周方向１２０°の間隔を開けて３箇所、稼動枠の外周に設けられている。
【００３２】
投写レンズユニット６０１は、これら稼動枠および固定枠を介して、これら投写レンズを保持するレンズ保持部材としてのライナー枠９２を有している。ライナー枠９２は、筒状であり、Ｚ軸方向（ＤＭＤ５０２により生成された投写画像の投写レンズユニット６０１に入射する方向）に延び、上記係合突起９１０ａ，９１０ｂ，９１０ｃが貫通する貫通孔９２ａが、円周方向に１２０°の間隔を開けて、３箇所形成されている。各稼動枠の係合突起９１０ａ,９１０ｂ,９１０ｃを、貫通孔９２ａを貫通させることにより、移動投写レンズ８１ａ，８１ｂ，８１ｃ，８１ｄが、稼動枠を介してライナー枠９２にＺ軸方向に移動可能に保持される。
【００３３】
上記第一固定投写レンズ８１ｅと、上記第二固定投写レンズ８１ｆとが取り付けられた固定枠９４は、ライナー枠９２のＤＭＤ５０２側端部（Ｚ２方向端部）に嵌合固定されている。これにより固定枠９４を介して第一固定投写レンズ８１ｅと、上記第二固定投写レンズ８１ｆとがライナー枠９２に保持される。
【００３４】
また、投写レンズユニット６０１は、ライナー枠９２より大径の筒状の回動部材としてのカム枠９３を有している。ライナー枠９２は、このカム枠９３内に配設されている。カム枠９３は、ライナー枠９２に対して回動可能に設けられている。また、カム枠９３は、第一稼動枠９１ａの係合突起９１０ａが係合する係合部としての第一カム穴９３ａが、円周方向に１２０°の間隔を開けて、３箇所、設けられている。同様に、第二稼動枠９１ｂの係合突起９１０ｂが係合する係合部としての第二カム穴９３ｂ、第三稼動枠９１ｃの係合突起９１０ｃが係合する係合部としての第三カム穴９３ｃが、円周方向に１２０°の間隔を開けて、３箇所を設けられている。各カム穴９３ａ,９３ｂ,９３ｃは、円周方向に延び、かつ、Ｚ軸方向に傾斜している（図７参照）。本実施形態では、係合突起９１０ｂが係合する係合部を穴形状としているが、溝形状として、カム枠の内周面に形成してもよい。
【００３５】
また、図６に示すように、カム枠９３の外周面には、カム枠９３をユーザーが操作するための操作レバーの一端が取り付けられるレバー取り付け部９３ｄが設けられている。操作レバーの他端は、プロジェクタ１から露出しており、ユーザーが操作レバーの他端を操作することにより、カム枠９３が回動する。
【００３６】
上記カム枠９３を回転させると、各係合突起９１０ａ，９１０ｂ，９１０ｃが、各カム穴９３ａ,９３ｂ,９３ｃ内を相対的に円周方向に移動しながら、カム穴によりＺ軸方向に移動せしめられる。これにより、各稼動枠９１ａ，９１ｂ，９１ｃが、図５の矢印Ａ方向（Ｚ軸方向）に移動し、各移動投写レンズ８１ａ,８１ｂ,８１ｃ,８１ｄがＺ軸方向に移動する。各移動投写レンズの移動方向は、各移動投写レンズの光学特性に応じて適宜決められられており、各移動投写レンズが規定の方向に移動することにより、スクリーンＳに投写された投写画像のピント調整が行われる。
【００３７】
次に、取り付け機構７０について、説明する。
図７は、投写レンズユニット６０１と、取り付け機構７０の構成部品のユニット保持枠７３と、ユニット移動カム枠７１とを例示する斜視図である。なお、図７においては、ユニット保持枠７３の構造を示すために、ユニット移動カム枠７１を、本来の位置から図中矢印Ｃ方向にずらしている。
【００３８】
図５、図７に示すように、取り付け機構７０は、投写レンズユニット６０１をＺ軸方向に移動可能に保持するユニット保持枠７３と、投写レンズユニット６０１をＺ軸方向に移動させるユニット移動カム枠７１と、投写レンズユニット６０１を照明ブラケット４０７に固定するためのフランジ部材７２とを備えている。
【００３９】
投写レンズユニット６０１のライナー枠９２の外周には、円周方向に１２０°の間隔を開けて３箇所、ユニット係合突起９２０が設けられている。ユニット保持枠７３は、筒状であり、Ｚ軸方向に延び、上記ユニット係合突起９２０が貫通する貫通孔７３ａが、円周方向に１２０°の間隔を開けて３箇所形成されている。投写レンズユニット６０１のユニット係合突起９２０を、貫通孔７３ａを貫通させることにより、投写レンズユニット６０１が、ユニット保持枠７３にＺ軸方向に移動可能に保持される。
【００４０】
ユニット保持枠７３の外周のＺ２方向端部（ＤＭＤ５０２側端部）には、フランジ部材７２が嵌合している。このフランジ部材７２が、ネジ７４により照明ブラケット４０７に取り付けられることにより、投写レンズユニット６０１が取り付け機構７０を介して、照明ブラケット４０７に取り付けられる。
【００４１】
ユニット移動カム枠７１は、ユニット保持枠７３よりも大径の筒形状であり、その内部にユニット保持枠７３を配置し、ユニット保持枠７３に対し、回動可能に設けられている。また、ユニット移動カム枠７１には、投写レンズユニット６０１のユニット係合突起９２０が係合する係合部としてのユニット移動用カム穴７１ａが、円周方向に１２０°の間隔を開けて３箇所設けられている。このユニット移動用カム穴７１ａは、図７に示すように、円周方向に延び、かつ、Ｚ軸方向に傾斜している。本実施形態では、ユニット係合突起９２０が係合する係合部を穴形状としているが、溝形状として、ユニット移動カム枠の内周面に形成してもよい。
【００４２】
ユニット移動カム枠７１を回転させると、ユニット係合突起９２０がユニット移動用カム穴７１ａ内を相対的に円周方向に移動しながら、ユニット移動用カム穴７１ａによりＺ軸方向に移動せしめられる。これにより、投写レンズユニット６０１が、図５の矢印Ｂ方向（Ｚ軸方向）に移動し、ＤＭＤ５０２との距離が変化し、ＤＭＤ５０２と投写レンズユニット６０１との距離を、適切な関係に調整することができる。
【００４３】
ユニット移動用カム穴７１ａの円周方向長さを長くし、傾斜角度を緩やかにすればするほど、ユニット移動カム枠７１の回動量に対する投写レンズユニット６０１のＺ軸方向の移動量を少なくすることができ、微調整が可能となる。これにより、ＤＭＤ５０２と投写レンズユニット６０１との距離を精度よく適切な関係に調整することができる。よって、ユニット移動用カム穴７１ａの円周方向長さをなるべく長くし、傾斜角度をなるべく緩やかにするのが好ましい。
【００４４】
また、例えば、ラックアンドピニオンを用いて投写レンズユニット６０１をＺ軸方向に移動させるように構成してもよい。しかし、本実施形態のように、筒状のユニット移動カム枠７１により、投写レンズユニットをＺ軸方向に移動させることで、ラックアンドピニオンを用いた場合に比べて、径方向に大型化するのを抑制することができ好ましい。
【００４５】
また、投写レンズユニット６０１のライナー枠９２には、ロック用ネジ７５がネジ止めされるネジ穴９２ｂが設けられており、ユニット保持枠７３およびユニット移動カム枠７１には、ロック用ネジ７５が貫通するネジ貫通孔７３ｂ,７１ｂが形成されている。ユニット保持枠７３のネジ貫通孔７３ｂは、円形の孔であり、ユニット移動用カム穴７１ａのネジ貫通孔７１ｂは、図７に示すように円周方向に延びる長孔である。ネジ貫通孔７１ｂ,７３ｂを貫通させてロック用ネジ７５を投写レンズユニットのライナー枠９２に締結することで、ネジ貫通孔７１ｂ,７３ｂとロック用ネジ７５とにより、投写レンズユニット６０１のＺ軸方向の移動が規制される。これにより、投写レンズユニット６０１のＺ軸方向の位置が固定される。よって、ＤＭＤ５０２と投写レンズユニット６０１との距離を適切な関係に調整後、ＤＭＤ５０２と投写レンズユニット６０１との距離が変化してしまうのを防止することができる。
【００４６】
ＤＭＤ５０２と投写レンズユニット６０１との距離の調整は、次のようにして行われる。まず、投写レンズユニット６０１を取り付け機構７０を介して照明ブラケット４０７に取り付ける。次に、検査画像を、スクリーンＳなどに投写させるなどして、光学特性（例えば、ピント）をチェックする。規定の光学特性が出ていない場合は、ユニット移動カム枠７１を回転させ投写レンズユニット６０１をＺ軸方向に移動させる。そして、規定の光学特性が出たら、ロック用ネジ７５を投写レンズユニット６０１のライナー枠９２にネジ止めし、投写レンズユニット６０１のＺ軸方向の移動をロックする。これにより、ＤＭＤ５０２と投写レンズユニット６０１との距離が、適切な関係に調整される。
【００４７】
本実施形態においては、投写レンズユニット６０１をＺ軸方向に移動可能に保持する取り付け機構７０を介して投写レンズユニット６０１を照明ブラケット４０７に取り付ける。これにより、投写レンズユニット６０１を照明ブラケット４０７から取り外さずに、投写レンズユニット６０１とＤＭＤ５０２との距離を適切な関係に調整することができる。よって、照明ブラケット４０７と投写レンズユニット６０１との間に調整部材を介在させて、投写レンズユニット６０１とＤＭＤ５０２との距離を、適切な関係に調整する従来に比べて、調整を容易にすばやく行うことができる。これにより、調整作業を従来に比べて短縮することができ、製造工程のリードタイムを短くすることができ、製造コストの増加を抑制することができる。
【００４８】
また、経時使用による照明ブラケット４０７の変形などにより、投写レンズユニット６０１とＤＭＤ５０２との位置関係が変動したときは、ロック用ネジ７５を取り外して、ユニット移動カム枠７１を回転させることで、投写レンズユニット６０１とＤＭＤ５０２との位置関係を調整することができる。これにより、経時に亘り、投写レンズユニット６０１とＤＭＤ５０２との位置関係を適切な関係に維持することができ、経時に亘り良好な投写画像をスクリーンＳに投写することが可能となる。
【００４９】
また、取り付け機構７０を構成するフランジ部材７２、ユニット保持枠７３、ユニット移動カム枠７１を金属で構成するのが好ましい。金属で構成することにより、放熱性を高めることができ、投写レンズユニット６０１の温度上昇を抑制することができる。これにより、投写レンズユニット６０１が保持する投写レンズが、光源が発する熱により経時で解像性能が劣化するのを抑制することができ、経時で安定した画像性能を得ることができる。また、照明ブラケット４０７も金属で構成することで、光源の熱をすばやく放熱することができ、照明ブラケット４０７が保持する光学素子（リレーレンズ４０３，４０４、シリンダミラー４０５及び曲面ミラー４０６など）の温度上昇を抑制することができる。
【００５０】
また、取り付け機構７０を構成するフランジ部材７２、ユニット保持枠７３、ユニット移動カム枠７１としては、熱膨張率の低い材料で構成するのが好ましい。取り付け機構７０を構成する部材を熱膨張率の低い材料で構成することにより、光源の熱による取り付け機構７０の熱膨張を抑制することができ、ＤＭＤ５０２と投写レンズユニット６０１との距離が変動するのを抑制することができる。また、ファンなどの送風手段により取り付け機構７０に空気を流して、取り付け機構７０の温度上昇を抑制することで、取り付け機構７０の熱膨張を抑制してもよい。
【００５１】
以上に説明したものは一例であり、以下の態様毎に特有の効果を奏する。
（態様１）
ＤＭＤ５０２などの画像生成手段が生成した投写画像が入射する投写レンズ（本実施形態では、第一移動投写レンズ８１ａ、第二移動投写レンズ８１ｂ、第三移動投写レンズ８１ｃ、第四移動投写レンズ８１ｄ、第一固定投写レンズ８１ｅ、第二固定投写レンズ８１ｆが対応する）を保持する投写レンズユニット６０１を備え、前記投写レンズを通過した投写画像を投写面に向けて投写する投写光学部６０などの投写光学装置において、前記投写画像が前記投写レンズに入射する入射方向に前記投写レンズユニット６０１を移動可能に保持し、前記画像生成手段が取り付けられた照明ブラケット４０７などの光学ハウジングに取り付けられる投写レンズユニット保持手段（本実施形態では、フランジ部材７２およびユニット保持枠７３で構成）と、前記投写レンズユニット６０１を、前記投写レンズユニット保持手段に対して前記入射方向に移動させるユニット移動カム枠７１などの移動手段とを備えた。
これによれば、実施形態で説明したように、移動手段により投写レンズユニット６０１を前記投写画像が前記投写レンズに入射する入射方向に移動させることにより、投写レンズユニット６０１とＤＭＤ５０２などの画像生成手段との距離を調整することができる。これにより、規定の光学特性（例えば、ピント）が得られるように、移動手段により投写レンズユニットを前記入射方向に移動させることにより、投写レンズユニット６０１と画像生成手段との距離を適正化することができる。よって、投写レンズユニット６０１と照明ブラケット４０７などの光学ハウジングとの間に介在させる調整部材の枚数を変更することにより、投写レンズユニット６０１と画像生成手段との距離を調整するものに比べて、調整作業を簡素化することができる。
【００５２】
（態様２）
態様１において、移動手段は、回転駆動力を、投写レンズユニット６０１を入射方向に移動させる直線駆動力に変換する。
これにより、簡単な構成で、投写レンズユニット６０１を入射方向に移動させることが可能となる。
【００５３】
（態様３）
態様２において、投写レンズユニット保持手段（本実施形態では、フランジ部材７２およびユニット保持枠７３で構成）の投写レンズユニット６０１を保持するユニット保持枠７３などのユニット保持部は、筒状形状であり、前記ユニット保持部には、前記入射方向に延びて、前記投写レンズユニット６０１に設けられたユニット係合突起９２０などの突起部が貫通する貫通孔７３ａを有し、前記移動手段は、筒状であり内部に前記ユニット保持部を配設し、前記突起部が係合するユニット移動用カム穴７１ａなどの係合部を有する回動可能なユニット移動カム枠７１などの回動部材を備え、前記係合部は、円周方向に延び、かつ、前記入射方向に傾斜している。
これによれば、実施形態で説明したように、ユニット移動カム枠７１などの回動部材を回転させると、ユニット係合突起９２０などの、前記投写レンズユニット６０１の突起部が、ユニット移動用カム穴７１ａなどの係合部内を相対的に円周方向に移動しながら、係合部によりＺ軸方向である前記入射方向に移動せしめられる。これにより、投写レンズユニット６０１が、前記入射方向に移動し、ＤＭＤ５０２などの画像生成手段との距離が変化し、画像生成手段と投写レンズユニット６０１との距離を、適切な関係に調整することができる。
【００５４】
（態様４）
態様１乃至３いずれかにおいて、投写レンズユニット６０１は、複数の投写レンズ（本実施形態では、第一移動投写レンズ８１ａ、第二移動投写レンズ８１ｂ、第三移動投写レンズ８１ｃ、第四移動投写レンズ、第一固定投写レンズ８１ｅおよび第二固定投写レンズ８１ｆ）を保持するものであって、前記投写レンズユニット６０１は、複数の投写レンズのうち、少なくともひとつを、前記入射方向に移動可能に保持するライナー枠９２などのレンズ保持部材と、前記移動可能に保持された投写レンズを前記レンズ保持部材に対して前記入射方向に移動させるレンズ移動機構（本実施形態では、カム枠９３などで構成）とを備えた。
これによれば、実施形態で説明したように、スクリーンＳなどの投写面に投写される投写画像のピント調整を行うことができる。
【００５５】
（態様５）
態様１乃至４いずれかにおいて、前記投写レンズユニット６０１の前記投写レンズユニット保持手段（本実施形態では、フランジ部材７２およびユニット保持枠７３で構成）に対する前記入射方向への移動をロックするロック手段（本実施形態では、ロック用ネジ７５などで構成）とを備えた。
これによれば、実施形態で説明したように、ＤＭＤ５０２などの画像生成手段と投写レンズユニット６０１との距離を適切に調整した後に、投写レンズユニット６０１前記入射方向へ移動して、適切な距離関係が崩れてしまうのを抑制することができる。
【００５６】
（態様６）
態様１乃至５いずれかにおいて、投写レンズユニット保持手段（本実施形態では、フランジ部材７２およびユニット保持枠７３で構成）および移動手段（本実施形態では、ユニット移動カム枠７１などで構成）を金属材料で構成した。
これによれば、実施形態で説明したように、投写レンズユニット６０１の熱を放熱することができ、投写レンズユニット６０１が保持する投写レンズの温度上昇を抑制することができる。これにより、投写レンズの熱による解像性能が劣化するのを抑制することができ、経時で安定した画像性能を得ることができる。
【００５７】
（態様７）
光源３０と、前記光源３０からの光を用いて画像を形成するＤＭＤ５０２などの画像生成手段と、前記画像をスクリーンＳなどの投写面に向けて投写する投写光学部６０とを備えたプロジェクタ１などの画像投写装置において、上記投写光学部６０として、態様１乃至６いずれかに記載の投写光学装置を用いた。
これによれば、製造コストの上昇を抑制し、かつ、良好な投写画像を投写面に投写することができる。
【符号の説明】
【００５８】
１：プロジェクタ
１５：光学エンジン
３０：光源
４０：照明光学部
５０：画像表示部
６０：投写光学部
６１：自由ミラーブラケット
６２：ミラーブラケット
７０：取り付け機構
７１：ユニット移動カム枠
７１ａ：ユニット移動用カム穴
７１ｂ：ネジ貫通孔
７２：フランジ部材
７３：ユニット保持枠
７３ａ：貫通孔
７３ｂ：ネジ貫通孔
７４：ネジ
７５：ロック用ネジ
８１ａ：第一移動投写レンズ
８１ｂ：第二移動投写レンズ
８１ｃ：第三移動投写レンズ
８１ｄ：第四移動投写レンズ
８１ｅ：第一固定投写レンズ
８１ｆ：第二固定投写レンズ
９１ａ：第一稼動枠
９１ｂ：第二稼動枠
９１ｃ：第三稼動枠
９２：ライナー枠
９２ａ：貫通孔
９２ｂ：ネジ穴
９３：カム枠
９３ａ：第一カム穴
９３ｂ：第二カム穴
９３ｃ：第三カム穴
９４：固定枠
４０７：照明ブラケット
６０１：投写レンズユニット
９１０ａ，９１０ｂ，９１０ｃ：係合突起
９２０：ユニット係合突起
Ｓ：スクリーン
【先行技術文献】
【特許文献】
【００５９】
【特許文献１】特許第５６９６６４４号公報
【図１】
2018017772.tif 000003
【図２】
2018017772.tif 000004
【図３】
2018017772.tif 000005
【図４】
2018017772.tif 000006
【図５】
2018017772.tif 000007
【図６】
2018017772.tif 000008
【図７】
2018017772.tif 000009